(57)【特許請求の範囲】
【請求項１】
本体内を仕切板により熱交換室と圧縮機室とに区画し、同熱交換室に送風機を有し、同圧縮機室の上方に電装モジュールを設けるとともに、リード線により前記電装モジュールに接続されたリアクタを設けてなる空気調和機の室外機において、
前記リアクタは、前記熱交換室に膨出するとともに前記圧縮機室側が開放された取付金具を介して前記仕切板の上部に取付けられ、前記送風機の上方からの投影面に重なるよう配置されており、
前記電装モジュールが、前記取付金具の開放された側に設けられていることを特徴とする空気調和機の室外機。
【発明の詳細な説明】
【技術分野】
【０００１】
本発明は、空気調和機の室外機に係わり、より詳細には、インバータ回路に備えられるリアクタの取付構造に関する。
【背景技術】
【０００２】
従来の空気調和機の室外機は、例えば図８（Ａ）で示すように、室外機５０内を、ベース５１上に立設された仕切板５２により左右に区画し、区画された一方に熱交換室５３を設け、区画された他方に圧縮機室５４を設けている。前記熱交換室５３には、背面板に形成された吸込口に対峙して熱交換器が、前面パネルに形成された吹出口に対峙して送風ファン５６が夫々設けられている。
【０００３】
前記圧縮機室５４には、冷媒を圧縮する圧縮機５５及びアキュームレータが設けられ、又、同圧縮機室５４の上方には、前記圧縮機５５及び前記送風ファン５６等を制御する制御基板を備えた電装モジュール５７が設けられている。
【０００４】
前記電装モジュール５７の前記熱交換室５３に対峙する一側には、図８（Ｂ）で示すように、上面と背面とが開放され、側断面が略三角形状に形成されたカバー５９が、前記熱交換室５３に突出するようにして取付けられ、又、同カバー５９の前面側傾斜面には、前記電装モジュール５７に組み込まれたインバータ回路の力率の低下を防止するリアクタ５８が固着されるようになっている。同リアクタ５８を前記電装モジュール５７の一側に装着して、室外機５０内の上部に位置させることにより、前記ベース５１に雨水が侵入したり、あるいは室外機５０の下部が浸水したとしても、前記リアクタ５８をこれらから保護するようになっている。
【０００５】
しかしながら、前記リアクタ５８と前記電装モジュール５７との間は区画されていないため、前記リアクタ５８から発生した熱が制御基板に伝わって、これに悪影響を与える虞があり、又、発生した振動が前記カバー５９を介して前記電装モジュール５７に伝搬し、内蔵された電子部品に支障を生じさせるような不具合があった。又、メンテナンス作業の際、前記電装モジュール５７を室外機５０本体から抜脱しようとすると、比較的重量のある前記リアクタ５８も共に外すこととなり、作業性に影響を与えるというような問題点があった。
【０００６】
【特許文献１】特開２００３−１２０９６３号（４頁、図２）
【発明の開示】
【発明が解決しようとする課題】
【０００７】
本発明は、上記問題点に鑑み、リアクタから発生する熱及び振動が、電装モジュール及び同電装モジュールに内蔵された制御基板あるいは電子部品等に極力伝搬されないようにして安全性を向上させるとともに、前記電装モジュールのメンテナンス作業を容易に行うことのできる空気調和機の室外機を提供することを目的とする。
【課題を解決するための手段】
【０００８】
本発明は、上記課題を解決するため、本体内を仕切板により熱交換室と圧縮機室とに区画し、同圧縮機室の上方に電装モジュールを設けるとともに、リード線により前記電装モジュールに接続されたリアクタを設けてなる空気調和機の室外機において、前記仕切板の上部に、前記リアクタを取付けてなる構成となっている。
【０００９】
又、前記リアクタが、取付金具を介して前記仕切板に固着される構成となっている。
【００１０】
又、前記取付金具は、前記圧縮機室側が開放されている構成となっている。
【００１１】
又、前記電装モジュールを構成するケースは、前記リアクタと、前記電装モジュールに配設された制御基板とを区画している構成となっている。
【００１２】
又、前記リアクタが前記仕切板の上部に固着された後、前記電装モジュールが前記本体に装着されてなる構成となっている。
【００１３】
又、前記電装モジュールと前記リアクタとを接続する配線は、前記電装モジュールの背面側に引き廻されている構成となっている。
【００１４】
又、前記本体の側面に端子盤取付部を備えたメンテナンス用の小窓を設けるとともに、同小窓と前記リアクタとが、前記本体の側面位置において、ほぼ同位置に設けられている構成となっている。
【発明の効果】
【００１５】
本発明によると、熱と振動とが発生するリアクタを、枠体と、上面板と、傾斜した固定板と、側面板とからなる取付金具に固着して、室外機本体内を左右に区画する仕切板に取付けることにより、前記リアクタから発生した振動の電装モジュールへの伝搬が極力防止され、同電装モジュールに内蔵した電源類や制御基板及び電装品等に振動伝搬による支障を生じさせないようになっている。
【００１６】
又、前記取付金具は、前記圧縮機室側が開放されていることにより、前記リアクタからの放熱が円滑に行われるようになっている。
【００１７】
又、前記電装モジュールを構成するケースは、前記熱交換室側と電装モジュール側とを区画していることにより、リアクタから発生した熱の制御基板への影響を防止することができるようになっている。
【００１８】
又、前記電装モジュールは、単独で着脱自在に設けられていることにより、メンテナンス作業が容易に行えるようになっている。
【００１９】
又、右側面パネルには、端子盤取付部を備えたメンテナンス用の小窓が設けられており、同小窓と、前記リアクタとは、前後位置でほぼ同位置となるように設けられており、前記端子盤取付部に取付けられていた端子盤を外すと、前記小窓から前記リアクタのメンテナンス作業を行えるようになっている。
【発明を実施するための最良の形態】
【００２０】
以下、本発明の実施の形態を、添付図面に基づいた実施例として詳細に説明する。
【実施例１】
【００２１】
図１は空気調和機の室外機を示す外観斜視図であり、図２はその断面図である。図３はリアクタの取付を示す要部斜視図であり、図４は電装モジュールの取付を示す要部斜視図である。又、図５はリアクタが取付けられた状態を示す斜視図である。
【００２２】
空気調和機の室外機は、図１の外観斜視図で示すように、一対の脚部１ａを下面に備え、平板状に形成されたベース１と、多数の桟により吹出口８を形成し、前記ベース１の前面側に被着されるフロントパネル２と、吸込口７を形成し、背面側に被着されるリアパネル３と、配管及び配線を収納した収納ボックス９を備えた右側面パネル５と、これと対をなす左側面パネル６と、天板４とで本体を構成している。
【００２３】
前記ベース１、フロントパネル２、リアパネル３、右側面パネル５、左側面パネル６は例えばステンレスなどの鋼板をプレス成形したものからなり、これら各パネルの表面には防錆等の塗装処理が施されている。又、矩形状に形成された前記ベース１の四囲周縁には、上方に向かって折曲され、複数の螺子孔を穿設したフランジが形成されており、同フランジにより前記フロントパネル２及び他のパネルが取付けられるようになっている。又、同ベース１の上面には、後述する圧縮機や熱交換器などが固定される取付用ブッシュが形成されている。
【００２４】
前記室外機の内部は、図２の断面図で示すように、前記ベース１上に立設された仕切板１０により左右に区画され、区画された一方は熱交換室１１に、区画された他方は圧縮機室１２となっている。前記熱交換室１１には、前記リアパネル３に形成された吸込口７に対峙して、並列して並べられた多数のフィンと、同フィンに直交するように蛇行状に配設された伝熱管とからなる、図示しない室外熱交換器２０が設けられる一方、前記フロントパネル２に形成された吹出口８に対峙して、ファンモータ１６に駆動される送風ファン１５が設けられている。
【００２５】
前記ベース１には前記ファンモータ１６を支持するためのモータ取付台１４が立設されている。同モータ取付台１４は下端が前記ベース１の取付用ブッシュに固定され、前記天板４に向かいほぼ垂直に立設されたメインフレームと、同メインフレームの上端から前記フロントパネル２に向かい水平状に延出された補強フレームとからなり、側断面が逆Ｌ字状に形成されている。又、メインフレームは梯子状に形成された金属フレームからなり、ほぼ中央には前記ファンモータ１６が固定されるモータマウンタ部が形成されており、同モータマウンタ部に前記ファンモータ１６が螺子止めされるようになっている。
【００２６】
前記圧縮機室１２には、冷媒を圧縮して前記室外熱交換器２０あるいは室内機に備えられた室内熱交換器に送出する圧縮機１７及び還流してきた冷媒を一時的に貯留するアキュームレータ等が配設され、その上方には、前記圧縮機１７及び前記ファンモータ１６等の制御を行う電装モジュール１３が設けられている。同電装モジュール１３は、ステンレスなどの金属板を折曲加工して矩形状の筐体を構成し、同筐体内部に、電源類や複数の制御基板及び電装品等を収納している。
【００２７】
前記圧縮機１７で圧縮された冷媒は、前記室外熱交換器２０あるいは室内熱交換器に送出され、これら内で凝縮あるいは蒸発して熱交換し気化された冷媒となって前記アキュームレータを経由し、前記圧縮機１７に還流するようになっている。又、冷房運転の際は、前記リアパネル３の吸込口７から吸込まれた室外の空気は、冷媒が循環する前記室外熱交換器２０から放出される熱を吸収して、前記ファンモータ１６により駆動される送風ファン１５により、前記フロントパネル２の吹出口８から外部に放出されるようになっている。
【００２８】
前記電装モジュール１３には、商用電源からの交流電力を直流電力に変換するコンバータ回路と、同コンバータ回路から供給された直流電力を、任意の周波数及び任意の電圧の交流電力に変換して前記圧縮機１７等の回転数制御を行うインバータ回路が組込まれている。前記コンバータ回路は交流電流を直流電流に整流するダイオードブリッジからなる整流回路と、整流された波形が山形状に変動する電流をコンデンサ等で平滑するコンデンサ平滑回路とから構成されているため、電流変動が大きく前記圧縮機１７を駆動するモータの力率が低下する一方、高調波が発生する。
【００２９】
力率の低下を防ぐため、積層鉄心と、これに巻回される巻線とからなるリアクタ１８が室外機内に設けられ、同リアクタ１８により電流値の所謂導通角を拡大させ、前記圧縮機１７に流れる電流のピーク値を低下させ力率を改善するようになっている。しかしながら、前記リアクタ１８には高調波成分を含んだ電流が流れるため同リアクタ１８からは振動及び熱が発生する。
【００３０】
前記リアクタ１８は、図３で示すように、前記仕切板１０に、取付金具１９を介して取付けられるようになっている。前記仕切板１０は、前縁部と後縁部を前記電装モジュール１３側に折曲して前縁フランジ１０ｂと後縁フランジ１０ａとを夫々形成するとともに、周囲にフランジを延出した矩形状の取付孔１０ｃを上方に穿設している。前記取付金具１９は、前記取付孔１０ｃの径に適合するように形成された矩形状の枠体１９ａと、同枠体１９ａの上部から突設された上面板１９ｃと、同上面板１９ｃの先端部と、前記枠体１９ａの下部とを繋ぐ、傾斜した固定板１９ｂと、前記上面板１９ｃと同固定板１９ｂの側面を覆う側面板とからなっている。
【００３１】
前記リアクタ１８は、積層鉄心を内蔵した方形状の本体１８ａと、同本体１８ａの両側面に備えられ、螺子挿通孔を両端に夫々穿設した脚部１８ｂとからなり、前記取付金具１９の固定板１９ｂには、前記螺子挿通孔に対応した螺子孔が穿設されている。前記取付金具１９は、前記仕切板１０の取付孔１０ｃに前記上面板１９ｃ、固定板１９ｂ及び側面板とを挿通させ、前記枠体１９ａを前記取付孔１０ｃの周縁部にスポット溶接されることにより、前記仕切板１０に固着されるようになっている。
【００３２】
前記取付金具１９を固着した前記仕切板１０が、前記室外熱交換器２０等とともに前記ベース１に固定されると、前記リアクタ１８は前記取付金具１９の固定板１９ｂ上に載置され、次に、脚部１８ｂの螺子挿通孔に螺子を挿通させ、同螺子が前記固定板１９ｂの螺子孔に螺合されることにより、前記仕切板１０に堅固に固定されるようになっている。
【００３３】
前記リアクタ１８が固定されると、図４で示すように、続いて前記電装モジュール１３が室外機内部に取付けられるようになっている。まず、前記電装モジュール１３の制御基板２１から導出された一対のリード線２３が前記リアクタ１８に接続され、この状態で前記電装モジュール１３が螺子止により固定されるようになっている。
【００３４】
前記取付金具１９は前記圧縮機室１２側の一側が開放されていることにより、前記リアクタ１８からの放熱が円滑に行われる一方、前記電装モジュール１３を構成するケース２２は、図５で示すように、前記熱交換室１３側に対し仕切板２２ａが形成されており、これにより前記リアクタ１８から発生した熱の制御基板２１への影響を防止することができるようになっている。尚、前記制御基板２１と前記リアクタ１８との距離が充分に保てる場合は、前記仕切板２２ａを設けなくともよい。
【００３５】
又、前記電装モジュール１３を構成するケース２２の背面側には、図４で示すように、同電装モジュール１３と前記リアクタ１８とを結ぶリード線２３が挿通する挿通孔２２ｂが設けられ、前記リード線２３が背面側に引き廻されていることにより、例えば、前記フロントパネル２を外してメンテナンス作業を行うような場合、前記電装モジュール１３を前面側に引き出すことができるようになっており、メンテナンス作業が容易に行えるようになっている。又、図６に示すように、前記右側面パネル５には、端子盤取付部２４を備えたメンテナンス用の小窓５ａが設けられており、同小窓５ａと、前記リアクタ１８とは、本体側面位置において、ほぼ同位置となるように設けられている。これにより、前記端子盤取付部２４に取付けられていた端子盤を外すと、前記小窓５ａから前記リアクタ１８のメンテナンス作業を行えるようになっている。
【００３６】
又、前記取付金具１９の固定板１９ｂ上面には、図７で示すように、前記リアクタ１８に備えられた脚部１８ｂの端部を係止する係止用突起２５が突設されており、取付作業の際、あるいはメンテナンス作業の際、作業を容易に行えるようになっている。
【００３７】
上記したように、前記リアクタ１８を、前記取付金具１９を介して前記仕切板１０に固定することにより、前記リアクタ１８から発生した振動の前記電装モジュール１３への伝搬が極力防止され、内蔵した電源類や制御基板及び電装品等に振動による支障を生じさせないようになっている。又、前記電装モジュール１３の筐体が、前記リアクタ１８と内蔵された制御基板等を区画することにより、前記リアクタ１８から発生した熱の影響も防止できるようになっている。又、メンテナンス作業の際は、前記電装モジュール１３を単独で抜脱することができ、作業性も向上させることができるようになっている。
【図面の簡単な説明】
【００３８】
【図１】空気調和機の室外機を示す外観斜視図である。
【図２】本発明による空気調和機の室外機の断面図である。
【図３】リアクタの取付を示す要部斜視図である。
【図４】電装モジュールの取付を示す要部斜視図である
【図５】リアクタと電装モジュールのケースを示す斜視図である。
【図６】室外機の右側面を示す側面図である。
【図７】リアクタが取付けられた状態を示す斜視図である。
【図８】（Ａ）は従来の空気調和機の室外機を示す断面図である。  （Ｂ）は従来のリアクタの取付を示す斜視図である。
【符号の説明】
【００３９】
１  ベース
１ａ  脚部
２  フロントパネル
３  リアパネル
４  天板
５  右側面パネル
５ａ  小窓
６  左側面パネル
７  吸込口
８  吹出口
９  収納ボックス
１０  仕切板
１０ａ  後縁フランジ
１０ｂ  前縁フランジ１０
１０ｃ  取付孔
１１  熱交換室
１２  圧縮機室
１３  電装モジュール
１４  モータ取付台
１５  送風ファン
１６  ファンモータ
１７  圧縮機
１８  リアクタ
１８ａ  本体
１８ｂ  脚部
１９  取付金具
１９ａ  枠体
１９ｂ  固定板
１９ｃ  上面板
２０  室外熱交換器
２１  制御基板
２２  ケース
２２ａ  仕切板
２２ｂ  挿通孔
２３  リード線
２４  端子盤取付部
２５  係止用突起
【図１】
0004797633.tif 000002
【図２】
0004797633.tif 000003
【図３】
0004797633.tif 000004
【図４】
0004797633.tif 000005
【図５】
0004797633.tif 000006
【図６】
0004797633.tif 000007
【図７】
0004797633.tif 000008
【図８】
0004797633.tif 000009